(57)【要約】【課題】  商品の機能や販売元等の表示が観者に見え易い梱包容器の提供。【解決手段】  梱包容器本体と、物品を覆うカバーとで該物品を梱包容器本体に保持する梱包容器であって、梱包容器本体の前面が、その幅方向途中部を頂部として頂部を中心とした両側面のうち少なくとも頂部の一側面が後方へ向かって傾斜して形成されており、頂部の他側面が物品を保持する保持面とされ、頂部の一側面が物品に関する情報を表示可能な表示面とされている構成。【選択図】  図１
2007326616.tif 000002
【特許請求の範囲】
【請求項１】
梱包容器本体と物品を覆うカバーとを有し、梱包容器本体とカバーで物品を梱包容器本体に保持するようにした梱包容器であって、前記梱包容器本体の前面が、その幅方向途中部を頂部として頂部を中心とした両側面のうち少なくとも頂部の一側面が後方へ向かって傾斜して形成されており、頂部の他側面が物品を保持する保持面とされ、頂部の一側面または該一側面を覆うカバー部分が物品に関する情報を表示可能な表示面とされていることを特徴とする梱包容器。
【請求項２】
頂部を中心とした他側面が後方へ向かって傾斜していることを特徴とする請求項１記載の梱包容器。
【請求項３】
他側面は物品を保持する面であり、保持しようとする物品の前後方向幅に対して頂部の前後方向幅を小さく設定し、カバーは透明であることを特徴とする請求項２記載の梱包容器。
【請求項４】
容器本体の後部に物品に付設している付設物を収納する収納部が設けられていることを特徴とする請求項１ないし請求項３の何れかに記載の梱包容器。
【請求項５】
収納部の後面は平面であり、物品の対応する領域に、後面から前方に向けて窪む凹部が設けられていることを特徴とする請求項４記載の梱包容器。
【請求項６】
収納部が上下に離間して対で設けられ、収納部間に凹部が配置されていることを特徴とする請求項５記載の梱包容器。
【請求項７】
梱包容器本体は、一側面または他側面の端辺部を中心として前面側と収納部側とを開閉可能な一枚のシートから構成されていることを特徴とする請求項４ないし請求項６の何れかに記載の梱包容器。
【請求項８】
収納部は梱包容器本体を開いた状態で、後面側に折込まれて凹部を形成する折込み片を有していることを特徴とする請求項７に記載の梱包容器。
【請求項９】
後面に、後方に陳列される梱包容器の頂部が嵌合する凹部が形成されていることを特徴とする請求項１ないし請求項８の何れかに記載の梱包容器。
【請求項１０】
一枚のシートからなる梱包容器本体と、物品を覆う透明なカバーとで該物品を梱包容器本体に保持する梱包容器であって、梱包容器本体が前面部と後面部とを有し、後面部に物品に付設している付設物を収納する収納部が設けられ、且つ後面部における後面は平面であって物品の対応する領域に後面から前方に向けて窪む凹部が設けられ、後面部の一側端辺部に前面部の一側端辺部が着脱自在に重ねられ、前面部の前面における一側面が幅方向中心へ向かって前方に傾斜して物品の情報を表示する表示用傾斜面とされ、傾斜面の幅方向中心側の頂部を頂点として前面部の前面における他側面が物品を保持する保持面とされ、且つ他側ほど後方へ向かって傾斜する保持用傾斜面とされており、後面部および前面部の他側面の端辺部を中心として前面部と後面部とが開閉することで後面部の一側端辺部に前面部の一側端辺部が着脱自在に構成されていることを特徴とする梱包容器。
【発明の詳細な説明】
【技術分野】
【０００１】
本発明は、例えばパーソナルコンピュータ等に付設されるマウス等の商品を梱包する梱包容器に関する。
【背景技術】
【０００２】
一般に、パーソナルコンピュータ（以下、単に「パソコン」という）等に付設されるマウス等の商品は、梱包容器（パッケージ）に梱包されており、梱包された状態で店頭に並べて販売される。従来の梱包容器には例えば、下記特許文献１に示すものがある。これは、マウスを収納する収納用凹部を備えたトレイと収納用凹部を覆うためのカバー部材を有し、トレイ、カバー部材の何れも直方体形状に形成されている。そして、カバー部材に形成した陳列用孔を陳列用金具に通して前後に陳列されて店頭販売されている。
【特許文献１】特開２０００−４３９４０号公報
【発明の開示】
【発明が解決しようとする課題】
【０００３】
上記従来の梱包容器には、一般的にマウスの販売元やマウスの機能等が表示されているが、トレイ、カバー部材の何れも直方体形状に形成されて前後に並べられると、後側に陳列されるこれらの表示が観者に見えにくく、販売元や商品のアピール性等が弱くなってしまう。このような問題は、マウスに限ることではなく、梱包容器に梱包して販売される商品一般についても同様であった。
【０００４】
そこで本発明は、上記課題に鑑み、商品の機能や販売元等の表示が観者に見え易い梱包容器の提供を目的としている。
【課題を解決するための手段】
【０００５】
本発明は、梱包容器本体と物品を覆うカバーとを有し、梱包容器本体とカバーで物品を梱包容器本体に保持するようにした梱包容器であって、前記梱包容器本体の前面が、その幅方向途中部を頂部として頂部を中心とした両側面のうち少なくとも頂部の一側面が後方へ向かって傾斜して形成されており、頂部の他側面が物品を保持する保持面とされ、頂部の一側面または該一側面を覆うカバー部分が物品に関する情報を表示可能な表示面とされていることを特徴としている。
【０００６】
上記構成のように、表示面または表示面を覆うカバー部分が頂部から後方へ向かって傾斜させ、この表示面またはカバー部分に情報を表示することにより、梱包容器を前後に重ねて物品を陳列しても、物品に関する情報が観者の目につき易くなる。また、従来の左右同幅の梱包容器とした場合、その左右幅と同じ左右幅であっても物品を保持可能とし、しかも物品の情報を観者の目につき易くすることが可能となる。
この場合、情報としては、物品の販売元、製造元、機能等、あるいは装飾文字や図柄等の商標も含むものとする。
【０００７】
本発明の梱包容器は、頂部を中心とした他側面が後方へ向かって傾斜していることを特徴としている。
【０００８】
上記構成のように、他側面を後方へ向けて傾斜させることにより、物品が他側面上にあるよう物品を梱包して前後に並べて陳列しても後方へ傾斜している分だけ前後方向に嵩張らなくなる。
【０００９】
本発明の梱包容器は、他側面は物品を保持する面であり、保持しようとする物品の前後方向幅に対して頂部の前後方向を幅小さく設定し、カバーは透明であることを特徴としている。
【００１０】
上記構成のように頂部と物品の位置関係を設定することで、梱包容器を一側面の横方向から見ても観者に物品が見えるようになる。
【００１１】
本発明の梱包容器は、容器本体の後部に物品に付設している付設物を収納する収納部が設けられている構成とすることで、付設物を収納できるから便利になるとともに見栄えを向上させることが可能になる。
【００１２】
本発明の梱包容器では、収納部の後面は平面であり、物品の対応する領域に、後面から前方に向けて窪む凹部が設けられていることを特徴としている。
【００１３】
上記構成のように凹部を設けることで、物品を前後に陳列する場合に凹部に後方に陳列される物品が入り込むようになるから、その分だけ前後方向に嵩張らなくなる。
【００１４】
本発明の梱包容器では、収納部が上下に離間して対で設けられ、収納部間に凹部が配置されていることを特徴としている。
【００１５】
上記構成のように上下に対で収納部を設けることにより、それだけ収納できるスペースが増え、且つ物品を前後に陳列する場合に凹部に後方に陳列される物品が入り込むようになるから、その分だけ前後方向に嵩張らなくなる。
【００１６】
本発明の梱包容器本体は、一側面または他側面の端辺部を中心として前面側と収納部側とを開閉可能な一枚のシートから構成されていることを特徴としている。
【００１７】
上記構成では、一枚のシートを折曲げて、梱包容器本体を貼合せなど行うことなく容易に形成することが可能になる。
【００１８】
本発明の梱包容器は、収納部は梱包容器本体を開いた状態で、後面側に折込まれて凹部を形成する折込み片を有しているから、端辺部を中心に本体を開き、折込み片を折込むことで凹部の壁面が形成される。
【００１９】
本発明の梱包容器は、後面に、後方に陳列される梱包容器の頂部が嵌合する凹部が形成されているから、物品を梱包容器に保持した状態で重ねて搬送する際や、物品を梱包容器ごと前後に陳列した際に頂部と凹部とが嵌合して、物品を保持した梱包容器が崩れてしまうのが抑えされる。
【００２０】
本発明の梱包容器は、一枚のシートからなる梱包容器本体と、物品を覆う透明なカバーとで該物品を梱包容器本体に保持する梱包容器であって、梱包容器本体が前面部と後面部とを有し、後面部に物品に付設している付設物を収納する収納部が設けられ、且つ後面部における後面は平面であって物品の対応する領域に後面から前方に向けて窪む凹部が設けられ、後面部の一側端辺部に前面部の一側端辺部が着脱自在に重ねられ、前面部の前面における一側面が幅方向中心へ向かって前方に傾斜して物品の情報を表示する表示用傾斜面とされ、傾斜面の幅方向中心側の頂部を頂点として前面部の前面における他側面が物品を保持する保持面とされ、且つ他側ほど後方へ向かって傾斜する保持用傾斜面とされており、物品の前後方向幅に対して頂部の前後方向幅が小さく設定され、後面部および前面部の他側面の端辺部を中心として前面部と後面部とが開閉することで後面部の一側端辺部に前面部の一側端辺部が着脱自在に構成されていることを特徴としている。
【発明の効果】
【００２１】
本発明の梱包容器では、梱包容器本体の前面をその幅方向途中部を頂部として頂部を中心とした両側面のうち少なくとも頂部の一側面を後方へ向かって傾斜させ、頂部の一側面が物品に関する情報を表示可能な表示面としたことにより、梱包容器を前後に重ねて物品を陳列しても、物品に関する情報が観者の目につき易くなり、物品（商品）のアピール性が向上する。
【発明を実施するための最良の形態】
【００２２】
以下、本発明の実施形態に係る梱包容器を、物品としてパソコンに付設するマウスを梱包する容器を例に、図面に基づいて説明する。なお、物品としてのマウスは一例であって、パソコン周辺機器や、その他販売店において、例えば陳列用金具に吊持されるようにして前後に陳列される物品であれば、適用可能である。
【００２３】
図１は梱包容器の前方下側からの斜視図、図２は後方下側からの斜視図、図３は正面図、図４は平面図、図５は背面図、図６は他側からの側面図、図７は一側からの側面図、図８（ａ）は一部を省略した上部の水平方向断面図、図８（ｂ）は一部を省略した略上下方向中心部の水平方向断面図である。なお、図１から図７では、基本的に、梱包容器本体を破線で表しており、カバーを実線で表している。
【００２４】
これらの図に示すように、本発明の実施形態に係る梱包容器１は、シート（例えば紙製）を、例えば打抜き加工して組立てるようにした梱包容器本体２と、マウス３（物品、あるいは商品としての一例）を覆う透明なカバー４とを有し、梱包容器１は、マウス３を、カバー４で覆うようにして梱包容器本体２に保持させるよう構成されている。
【００２５】
先ず、梱包容器本体２の構成を説明する。梱包容器本体２は、前面部５と後面部６とを有する。前面部５は前面部構成シート７からなり、後面部６は後面部構成シート８からなる。前面部構成シート７と後面部構成シート８は一体でも別体でもよいが、この実施形態の場合では、前面部５および後面部６は、前面部構成シート７および後面部構成シート８の途中の折曲げ部１０を中心として梱包容器本体２の左右方向一側端部を開閉自在に構成されるようシートをブランク材として一体に形成されている。
【００２６】
前面部構成シート７と後面部構成シート８を一体に形成しない場合は、前記カバー４の構成によってその左右方向他側端部回りに梱包容器本体２の左右方向一側端部を開閉自在に構成されるよう構成すればよい。
【００２７】
前面部５（前面部構成シート７）はマウス３を保持する保持面１１と、マウス３に係る情報１２を表示する表示面１３とを有し、保持面１１は、マウス３を保持するのに充分な高さと幅とを有する。表示面１３は、マウス３に係る情報１２を観者の目につき易く表示するのに充分な高さＨと左右幅Ｃとを有する。また、後面部６はマウス３に接続されるコード１４（物品に付設させる付設物の一例）を収納する収納部３７を有する。この実施形態の場合、収納部３７は上収納部２４と下収納部２５とを有するが、収納部３７は上、下の何れか一方であってもよい。
【００２８】
保持面１１と表示面１３とを有する前面部５の前面シート１５は、その幅方向途中部を最も前方に突出して上下方向の頂部１６として、該頂部１６の一側面（この場合、正面視して左側）は、頂部１６を中心として一側端辺部１７側が後方へ向かって傾斜して形成された前記表示面１３とされている。保持面１１もまた、頂部１６を頂点として保持面１１の他側端辺部１８側が後方へ向けて傾斜しており、この他側端辺部１８と後面部６とが前記折曲げ部１０を介して連続されるよう構成されている。表示面１３と保持面１１とは頂部１６を中心にして、この場合平面視して鈍角を形成している。保持面１１は平面視して後方に凸となるよう湾曲した湾曲面とされているが、頂部１６を頂点として保持面１１の他側端辺部１８側が後方へ向けて傾斜した平面であってもよい。
【００２９】
前面シート１５において、保持しようとする物品であるマウス３の底部から頂点までの前後方向幅に対して、一側端辺部１７から頂部１６までの前後方向幅Ｂは小さくなるよう設定されている。
【００３０】
図９および図１０は、梱包容器１を開いた状態の斜視図で、基本的に梱包容器本体２は実線で示し、カバー４は仮想線で示している。
【００３１】
これらの図に示すように、梱包容器本体２の前面部５には、前面シート１５の裏側（後面部６側）に一体に折曲げられる裏面折曲げシート２０を有する。裏面折曲げシート２０には、その上端辺部から前方に向けて折曲げられる上部折曲げ片２１が一体に形成されて、この上部折曲げ片２１が前面部５の天壁２２を形成している。裏面折曲げシート２０の下端辺部から前方に折曲げられる下部折曲げ片２３が一体に形成されており、この下部折曲げ片２３が前面部５の底壁２９を形成している。
【００３２】
頂部１６は、梱包容器本体２の一側寄りにあって、前述したように、表示面１３に販売元や商標等、マウス３、すなわち保持する物品に関する情報１２を観者が充分に視覚可能な大きさに表示可能な左右方向幅Ｃ１とするような左右方向位置に位置付けられている。すなわち、頂部１６から一側端辺部１７までの左右方向幅Ｃ１と、頂部１６から他側端辺部１８までの左右上方向幅Ｃ２とでは、一側端辺部１７までの左右方向幅Ｃ１までの距離のほうが短く設定されている。
【００３３】
前記裏面折曲げシート２０において、前面シート１５におけるマウス３に対応する領域にはマウス３に接続されるコード１４を後面部６の上収納部２４に向けて導出するための導出用切欠３０が形成されている。この導出用切欠３０は、上下方向のスリット状に形成されており、その下端部には導出用切欠３０にコード１４を導出入し易いように、円形切欠３１が連設している。導出用切欠３０の上端部は、後述の上収納部２４まで延長されている。
【００３４】
裏面折曲げシート２０には、背面視して（正面視しても同様）矩形状に形成されたものを、マウス３に対応する領域を他端辺部側から一方辺側に向けて凹となるよう切欠いた作業用切欠３２を形成している。この作業用切欠３２は、コード１４を導出用切欠３０に導く作業を行う際に、便利である。
【００３５】
上部折曲げ片２１、下部折曲げ片２３は、それぞれ裏面折曲げシート２０を、一側端辺部１７を中心として前面シート１５の裏面側に折曲げた際、前面シート１５を構成する保持面１１および表示面１３によって形成される平面視略三角形状の上部開口および下部開口をそれぞれ塞ぐよう、上部開口および下部開口にそれぞれ対応した略三角形状に形成されている。
【００３６】
なお、前面シート１５および裏面折曲げシート２０の上部の前後対応には、マウス３を前後に陳列する際に吊持する杆状（棒状）の吊持具（図示せず）を挿通させる吊持用孔３３（陳列用孔）が形成されている。
【００３７】
次に、後面部６について説明する。後面部６の上下方向高さおよび左右方向幅は前面部５のそれと実質的に同様である。後面部６は、前述したように、前面部構成シート７に一体に形成された後面部構成シート８によって構成されている。後面部６は全体として箱状に形成され、後面シート３４と、後面シート３４の表側（前面部５側）に一体に折曲げられて、その一部が前記裏面折曲げシート２０と重ねられる表面折曲げシート３５を有する。
【００３８】
後面部６にはマウス３のコード１４を纏めて収納するのに充分な前後幅Ｂ１を有する前記上収納部２４を有する。また後面部６の下部には、収納物を収納するのに充分な前後幅Ｂ１を有する下収納部２５を有する。上収納部２４と下収納部２５の間には、前方に向けて窪む凹部２６が形成されている。この凹部２６は、マウス３を保持した位置に対応する位置とするべく、後面部６の他側から一側に向けて一側端部に至らないよう形成されるとともに、後面部６の上下方向途中に配置されている。なお、凹部２６の前後方向の深さ（前記前後幅Ｂ１にほぼ等しい）は、前後に陳列した状態でのマウス３の前後方向高さＢに比べて小さく設定しておくことが好ましい。
【００３９】
後面部６の他側部には、後方へ並べて陳列される際に、後方の梱包容器本体２の頂部１６が嵌合し、あるいは上下方向に並べて搬送される際に、上下方向に重ねられる梱包容器本体２の頂部１６が嵌合する凹条５０を有する合せ部５１が形成されている。
【００４０】
凹部２６の底壁２７は、後面部構成シート８の一部に上下一対の水平方向の切込み２８，２８を形成することで形成されている。底壁２７の他側部は略平坦に形成され、底壁２７の一側部は前側方に凸となるようにして合せ部５１の凹条５０近傍（凹条５０の他側）に連設されている。凹部２６の上側壁５２は、表面折曲げシート３５の上部である上平面部５３の下端に一体に形成されて前記上側の切込み２８，２８に差込まれる上差込み片５４によって代用されている。凹条５０の下側壁５５は、表面折曲げシート３５の下部である下平面部５６の上端に一体に形成されて前記下側の切込み２８，２８に差込まれる下差込み片５７によって代用されている。なお、この実施形態では、底壁２７の一側部は前側方に凸となるようにして曲面としているが、前後方向に沿う平面であってもよい。
【００４１】
後面部６の後面となっている上収納部２４および下収納部２５の後面５８，５９はそれぞれ同一平面内にあってしかも平坦面に形成されている。後面部６において一方の側壁６０および他方の側壁６１は何れも斜め後方に向けて凸となる曲面に形成されている。
【００４２】
下収納部２５における下壁６２は平面に形成され、且つ下収納部２５の下側開口を塞ぐべく底面視して略台形に形成されている。上部収納部２５の上壁６３は、前方（前面部５側）に向かうほど幅広となるよう、下方から上方へ向けて上傾斜した斜面に形成されている。上壁６３左右方向中央領域で、前記吊持用孔３３に前後方向で対応する領域に、後面部構成シート８の一部に左右の切込み２９，２９を形成することで前方に向けて窪む吊持用凹部６４が形成されている。吊持用凹部６４の底壁６４ａは、左右の切込み２９，２９によって形成されるシート片が用いられている。
【００４３】
吊持用凹部６４の左右の側壁６４ｂ，６４ｂは表面折曲げシート３５の上部に左右方向の切込み６４ｃを形成することによって後方に折曲げて形成されるシート片が用いられている。
【００４４】
さらに、表面折曲げシート３５の上部平面部５３の他側には、上収納部２４の他側の側壁６１に対して内側に重なる重なり片６６が形成されており、この重なり片６６に、前記導出用切欠３０から導出されたコード１４の途中を挿通する不図示の挿通用切欠が形成されている。
【００４５】
次にカバー４について説明する。図１１はカバー４を開いた状態の背面図である。このカバー４は、梱包容器本体２を閉じた状態を保持する機能を有するとともに、前面シート１５の保持面１１の湾曲形状や、後面部６における凹部２６の底壁２７の湾曲形状を保持する機能をも兼用している。
【００４６】
カバー４は全体が透明であり、梱包容器本体２を、折曲げ部１０を中心として左右方向他側端部を閉じた状態で、梱包容器本体２全体を囲む構成を有し、且つ梱包容器本体２を開閉自在とするものである。したがって、下収納部２５を有しない梱包容器本体２に関しては、その部分を覆うカバー部は設けていない。
【００４７】
すなわち、カバー４は、梱包容器本体２の前面部５を全体的に外側から被覆する前面被覆部７０と、梱包容器本体２の後面部６を全体的に外側から被覆する後面被覆部７１とを有する。梱包容器本体２を開閉自在とすべく、カバー４における前面被覆部７０と後面被覆部７１とは幅方向途中（他側端部）の小幅部４ａを中心として開閉自在に構成されている。
【００４８】
前面被覆部７０は、前カバー部７２と、底カバー部７３と、天カバー部７４とを有する。前カバー部７２は、前面部５の前面を外側から覆うようにして沿うもので、マウス３を保持すべく該マウス３に対応する形状の保持凹部７５を有し、前カバー部７２は表示面１３を覆う表示面カバー部１３ａ、保持面１１を覆う保持面カバー部１１ａを有する。底カバー部７３は、前面部５の下壁２３を覆うべく下壁２３と実質的に同形状に形成されている。天カバー部７４は、前面部５の天壁２２を覆うべく天壁２２と実質的に同形状に形成されている。保持凹部７５の上方に、梱包容器本体２の吊持用孔３３に対応する吊持用孔３３ａが形成されている。前面カバー４の保持凹部７５にはコード１４の基端部７６を覆う基端凹部７７が連続して形成されている。
【００４９】
後面被覆部７１は、下収納部２５を覆う下収納部カバー部８１、上収納部２４を覆う上収納部カバー部８０、凹部２６を覆う凹部カバー部８２、および合せ部５１を覆う合せ部カバー部８３を有する。合せ部カバー部８３には凹条５０の形状に沿う凹状カバー部８４を有する。上収納部カバー部８０には吊持用凹部カバー部８２ａを有し、この吊持用凹部カバー部８２ａには吊持用孔３３ｂが形成されている。
【００５０】
後面被覆部７１は、さらにその一側端辺部から梱包容器本体２の前面部５と後面部６とを閉じた状態でその合せ面に挟持される挟持用折込み片８６が後面被覆部７１の他端辺に折曲げ自在に形成されている。
【００５１】
さらに、カバー４は、前面被覆部７０と後面被覆部７１とを開閉自在とする開閉手段９１とを有する。開閉手段９１として、前カバー部７２の他側端辺部１８に上下方向に離間した複数の挿入舌片９２が形成されている。各挿入舌片９２は、矩形状に形成してその挿入先部の上下両隅を隅切りしている。開閉手段９１として、挟持用折込み片８６の折目部に形成されて挿入舌片９２を挿抜自在とする切込み１００が挿入舌片９２に対応した位置で挿入舌片９２と同数だけ形成されている。さらに開閉手段９１として、後面被覆部７１（底カバー部７３）の下端辺部９３に折曲自在に形成された下挿入舌片９２ａと、後面被覆部７１の下端辺部９３ａと下部折曲げ片２３との境界部に形成されて下挿入舌片９２が挿し込まれる切り目９３ｂとを有する。
【００５２】
さらに、後面被覆部７１の上下部には、梱包容器本体２の前面部５と後面部６とを閉じた状態で、折曲げられることで天カバー部７４と上部折曲げ片２１との間に挿入される略三角形状の上挿入片９４と、梱包容器本体２の前面部５と後面部６とを閉じた状態で、折曲げられることで底カバー部７３と下部折曲げ片２３との間に挿入される略三角形状の下挿入片９５とを、後面被覆部７１の上端辺部、下端辺部にそれぞれ一体に有する。
【００５３】
上記構成の梱包容器１において、マウス３を梱包容器本体２に保持した状態で吊持用孔３３に杆状の吊持具を挿通するようにして前後にマウス３を陳列するようにする。そうすると、梱包容器本体２の前面には頂部１６を頂点として後方に幅が広がるよう傾斜した表示面１３があるから、マウス３を前後に陳列したとしても、この表示面１３に記載されているマウス３に係る情報が観者の目につき易くなり、例えば表示が発売元や商標であれば、購買意欲の向上につながり、また物品のアピール性を向上させることが可能となる。さらに、一方の側壁６０、他方の側壁６１も傾斜面であるから、これら側壁６０，６１にもマウス３に係る表示をすることも可能であり、あるいはこれら側壁６０，６１を覆うカバー部分にマウス３に係る表示をすることも可能であって、マウス３を前後に陳列した際にも、表示面１３と同様にマウス３に係る情報が観者の目につきやすくなる。
【００５４】
また、梱包容器本体２の後面部６における上収納部２４と下収納部２５の間には、マウス３の位置に対応して前方に向けて窪む凹部２６が形成されているから、マウス３（梱包容器）を前後に陳列した場合に後方に陳列されたマウス３が前方に陳列された梱包容器１の凹部２６に入るからその分だけ前後の陳列幅をとらず、前後方向に嵩張るのを防止することができる。
【００５５】
さらに、保持しようとする物品であるマウス３の底部から頂点までの前後方向幅に対して、一側端辺部１７から頂部１６までの前後方向幅は小さくなるよう設定されているから、マウス３が陳列されたとしても、凹部２６の前後方向の深さを、マウス３の前後方向高さに比べて小さく設定しておくことで、マウス３は観者の左右何れからでも見ることができ、その分だけ観者にマウス３（商品）に対して興味をおこさせることが可能になる。
【００５６】
加えて、後面部６には、凹条５０を有するから、マウス３を前後に陳列した際、前にある梱包容器本体２（カバー４）の凹条５０に、そのすぐ後方にある梱包容器本体２の頂部１６が嵌合することにより、前後に陳列した際の梱包容器１どうしの揺れがなく、安定した陳列が可能になる。
【００５７】
ところで、この種の物品等を梱包するのには、ブリスターパックと称される梱包容器が用いられる場合があるが、ブリスターパックは、物品の形に応じて形成したプラスチック成形品（この場合、カバーに相当する）の凹部に物品を容れ、台紙（この場合、梱包容器本体に相当する）とプラスチック成形品とを接着したり、プラスチック成形品をヒートシールしたりして両者を一体化させている。このようなブリスターパックでは、物品を取出そうとするときは、接着部分を剥がさなければならなかった。そして台紙からプラスチック成形品を剥がすと、台紙とプラスチック成形品との接着力はなくなるから、台紙とプラスチック成形品とで再び物品を保持することはできなかった。
【００５８】
しかしながら、本発明の実施形態では、前面部５と後面部６とを他側端辺部を中心として前面部５と後面部６の一側端辺部側を開閉自在とし、後面部６に収納部を設けているから、梱包容器本体２とカバー４との接着が不要であり、さらに、再びマウス３を梱包容器１に保持するように装着することが可能である。
【００５９】
梱包容器本体２を開いて、表面折曲げシート３５の上平面部５３に一体的に形成されている上差込み片５４を切込み２８，２８から抜いて上平面部５３を上方に持上げることでマウス３のコード１４が露出するから、マウス３のコード１４を上収納部２４から容易に取出すことが可能となる。そして、コード１４を、円形切欠３１を挿通させて、前面部５と前カバー部７２とを取外す（離脱させる）ことで、容易にマウス３を取出すことが可能となる。マウス３の種類によっては、コード１４を必要としないものもある。この場合、導出用切欠３０や円形切欠３１は不要となるが量産面からすれば導出用切欠３０や円形切欠３１があっても問題はない。また、このようなマウス３ではコード１４を収納するための収納部は不要となるが、この収納部はコード１４のみを限定して収納する必要はなく、マウス３に係る説明書であるとか、他の付属品等を収納するのに用いる等して有効利用することが可能な収納部となる。
【００６０】
マウス３を再び梱包容器１に保持する場合と、マウス３を取出して梱包容器１を閉じた状態に保持する場合とでは、マウス３を保持凹部７５に嵌込むようにして保持面１１に保持するとともに、コード１４を導出用切欠３０から導出させて上収納部２４に収納するという動作の違いだけである。すなわち、前面部５と後面部６とを閉じて元の梱包容器１の形状とするためには、上収納部２４の上差込み片５４を切込み２８，２８に差込み、梱包容器本体２にカバー４を装着し、開閉手段９１として、切込み１００に挿入舌片９２を挿入し、前面被覆部７０の天カバー部７４と上部折曲げ片２１との間に上挿入片９４を挿入し、底カバー部７３と下部折曲げ片２３との間に下挿入片９５を挿入し、下挿入舌片９２を切り目９３ｂに挿込むようにして、前面部５と後面部６の裏面折曲げシート２０と表面折曲げシート３５とを合わせるようにする。このようにすることで、元の梱包容器１の形状となる。
【００６１】
なお、上記実施形態では、情報１２は梱包容器１の表示面１３に表示他端が、これに限定されることはなく、表示面１３を覆う表示面カバー部１３ａに表示することも可能である。この場合も、上記実施形態と同様の作用効果を奏し得る。
【００６２】
ところで、上記したような従来のブリスターパックと称される梱包容器が用いられる場合で、ブリスターパックは、物品の形に応じて形成したカバーの凹部に物品を容れ、梱包容器本体とカバーとを接着したり、プラスチック成形品をヒートシールしたりして両者を一体化させている場合では、物品を取出そうとするときは、接着部分を剥がさなければならないから、梱包容器本体とカバーによってのみでは再び物品を保持することはできなかった。
【００６３】
このような課題を解決するために、物品を、前面部５とこの後部に配置する後面部６とを有する梱包容器本体２における前面部５の保持面１１とカバー４とで保持し、前面部５と後面部６とを左右方向一端側端辺部または他端側端辺部を中心とし、あるいは前面部５と後面部６とを上側端辺部または下側端辺部を中心として、開閉手段９１を介して着脱自在に開閉自在とし、後面部６に物品に付設する付設品の収納部を設けるよう構成する梱包容器１によって実現できる。
【００６４】
この場合、前面部５には少なくとも物品の保持面１１があればよく、表示面１３の有無は必ずしもその条件とならず、前面部５の前面を平面とした保持面１１とすることも可能である。この場合、前面シート１５を構成する保持面１１および表示面１３によって形成される平面視略三角形状の上部開口および下部開口はなくなるから、これらを塞ぐ上部折曲げ片２１、下部折曲げ片２３も省略されることになる。また、上挿入片９４、下挿入片９５等も省略できることになる。他の構成は上記実施形態と同様となり、開閉手段９１を介して前面部５と後面部６とを開閉することで、収納部に収納した付設物を容易に取出し、また容易に収納することができる。
【図面の簡単な説明】
【００６５】
【図１】本発明の実施形態を示す梱包容器の前方下側からの斜視図
【図２】同じく後方下側からの斜視図
【図３】同じく正面図
【図４】同じく平面図
【図５】同じく背面図
【図６】同じく他側からの側面図
【図７】同じく一側からの側面図
【図８】同じく（ａ）は一部を省略した上部の水平方向断面図、（ｂ）は一部を省略した略上下方向中心部の水平方向断面図
【図９】同じく梱包容器を開いた状態の斜視図
【図１０】同じく梱包容器を開いた状態の斜視図
【図１１】同じくカバーを開いた状態の背面図
【符号の説明】
【００６６】
１…梱包容器、２…梱包容器本体、３…マウス、４…カバー、５…前面部、６…後面部、１１…保持面、１２…情報、１３…表示面、１４…コード、１６…頂部、１７…一側端辺部、１８…他側辺部、２４…上収納部、２５…下収納部、２６…凹部、３３…吊持用孔、５０…凹条、７０…前面被覆部、７１…後面被覆部、７５…保持凹部
【図１】
2007326616.tif 000003
【図２】
2007326616.tif 000004
【図３】
2007326616.tif 000005
【図４】
2007326616.tif 000006
【図５】
2007326616.tif 000007
【図６】
2007326616.tif 000008
【図７】
2007326616.tif 000009
【図８】
2007326616.tif 000010
【図９】
2007326616.tif 000011
【図１０】
2007326616.tif 000012
【図１１】
2007326616.tif 000013
【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
梱包容器本体と物品を覆うカバーとを有し、梱包容器本体とカバーで物品を梱包容器本体に保持するようにした梱包容器であって、前記梱包容器本体の前面が、その幅方向途中部を頂部として頂部を中心とした両側面のうち少なくとも頂部の一側面が後方へ向かって傾斜して形成されており、頂部の他側面が物品を保持する保持面とされ、頂部の一側面または該一側面を覆うカバー部分が物品に関する情報を表示可能な表示面とされ、
前記梱包容器本体が箱状に形成されており、該梱包容器本体の後面部の物品に対応する領域に、前方に向けて窪む凹部が設けられていることを特徴とする梱包容器。
【請求項２】
梱包容器本体の後面部に、物品に付設している付設物を収納する収納部が設けられていることを特徴とする請求項１記載の梱包容器。
【請求項３】
収納部が上下に離間して対で設けられ、収納部間に凹部が配置されていることを特徴とする請求項２記載の梱包容器。
【請求項４】
梱包容器本体の後面部に、後方に陳列される梱包容器の頂部が嵌合する凹部が形成されていることを特徴とする請求項１ないし請求項３の何れかに記載の梱包容器。
【請求項５】
梱包容器本体と物品を覆うカバーとを有し、梱包容器本体とカバーで物品を梱包容器本体に保持するようにした梱包容器であって、前記梱包容器本体の前面が、その幅方向途中部を頂部として頂部を中心とした両側面のうち少なくとも頂部の一側面が後方へ向かって傾斜して形成されており、頂部の他側面が物品を保持する保持面とされ、頂部の一側面または該一側面を覆うカバー部分が物品に関する情報を表示可能な表示面とされ、
前記梱包容器本体の後面部に物品に付設している付設物を収納する収納部が設けられ、
前記梱包容器本体は、一側面または他側面の端辺部を中心として前面部と後面部とを開閉可能に構成されて前記付設物を梱包容器本体を開いた状態で収納および取出し可能に構成されていることを特徴とする梱包容器。
【請求項６】
梱包容器本体は一枚のシートから形成され、カバーは、梱包容器本体をその開閉中心となる折曲げ部を中心として閉じた状態で梱包容器本体全体を囲む構成を有し、且つ梱包容器本体を開閉自在とするものであることを特徴とする請求項５記載の梱包容器。
【請求項７】
頂部を中心とした他側面が後方へ向かって傾斜され、該他側面は物品を保持する面とされて保持しようとする物品の前後方向幅に対して頂部の前後方向幅が小さく設定され、カバーは透明とされていることを特徴とする請求項１ないし請求項６の何れかに記載の梱包容器。
【請求項８】
一枚のシートからなる梱包容器本体と、物品を覆う透明なカバーとで該物品を梱包容器本体に保持する梱包容器であって、梱包容器本体が前面部と後面部とを有し、後面部に物品に付設している付設物を収納する収納部が設けられ、且つ後面部における後面は平面であって物品の対応する領域に後面から前方に向けて窪む凹部が設けられ、後面部の一側端辺部に前面部の一側端辺部が着脱自在に重ねられ、前面部の前面における一側面が幅方向中心へ向かって前方に傾斜して物品の情報を表示する表示用傾斜面とされ、傾斜面の幅方向中心側の頂部を頂点として前面部の前面における他側面が物品を保持する保持面とされ、且つ他側ほど後方へ向かって傾斜する保持用傾斜面とされており、後面部および前面部の他側面の端辺部を中心として前面部と後面部とが開閉することで後面部の一側端辺部に前面部の一側端辺部が着脱自在に構成されていることを特徴とする梱包容器。
【手続補正２】
【補正対象書類名】明細書
【補正対象項目名】０００５
【補正方法】変更
【補正の内容】
【０００５】
本発明は、梱包容器本体と物品を覆うカバーとを有し、梱包容器本体とカバーで物品を梱包容器本体に保持するようにした梱包容器であって、前記梱包容器本体の前面が、その幅方向途中部を頂部として頂部を中心とした両側面のうち少なくとも頂部の一側面が後方へ向かって傾斜して形成されており、頂部の他側面が物品を保持する保持面とされ、頂部の一側面または該一側面を覆うカバー部分が物品に関する情報を表示可能な表示面とされ、前記梱包容器本体が箱状に形成されており、該梱包容器本体の後面部の物品に対応する領域に、前方に向けて窪む凹部が設けられていることを特徴としている。
【手続補正３】
【補正対象書類名】明細書
【補正対象項目名】０００６
【補正方法】変更
【補正の内容】
【０００６】
上記構成のように、表示面または表示面を覆うカバー部分が頂部から後方へ向かって傾斜させ、この表示面またはカバー部分に情報を表示することにより、梱包容器を前後に重ねて物品を陳列しても、物品に関する情報が観者の目につき易くなる。また、従来の左右同幅の梱包容器とした場合、その左右幅と同じ左右幅であっても物品を保持可能とし、しかも物品の情報を観者の目につき易くすることが可能となる。
【手続補正４】
【補正対象書類名】明細書
【補正対象項目名】０００７
【補正方法】変更
【補正の内容】
【０００７】
また、上記構成のように梱包容器本体の後面部の物品に対応する領域に凹部を設けることで、物品を前後に陳列する場合に凹部に後方に陳列される物品が入り込むようになるから、その分だけ前後方向に嵩張らなくなる。
この場合、情報としては、物品の販売元、製造元、機能等、あるいは装飾文字や図柄等の商標も含むものとする。
【手続補正５】
【補正対象書類名】明細書
【補正対象項目名】０００８
【補正方法】変更
【補正の内容】
【０００８】
本発明の梱包容器は、梱包容器本体の後面部に、物品に付設している付設物を収納する収納部が設けられていることを特徴としている。
【手続補正６】
【補正対象書類名】明細書
【補正対象項目名】０００９
【補正方法】変更
【補正の内容】
【０００９】
上記構成のように、梱包容器本体に付設物を収納する収納部を設けることにより、便利に使用できる。
【手続補正７】
【補正対象書類名】明細書
【補正対象項目名】００１０
【補正方法】変更
【補正の内容】
【００１０】
本発明の梱包容器は、収納部が上下に離間して対で設けられ、収納部間に凹部が配置されていることを特徴としている。
【手続補正８】
【補正対象書類名】明細書
【補正対象項目名】００１１
【補正方法】変更
【補正の内容】
【００１１】
上記構成のように、上下に対で収納部を設けることにより、それだけ収納できるスペースが増え、且つ物品を前後に陳列する場合に凹部に後方に陳列される物品が入り込むようになるから、その分だけ前後方向に嵩張らなくなる。
【手続補正９】
【補正対象書類名】明細書
【補正対象項目名】００１２
【補正方法】変更
【補正の内容】
【００１２】
本発明の梱包容器では、後面部に、後方に陳列される梱包容器の頂部が嵌合する凹部が形成されていることを特徴としている。
【手続補正１０】
【補正対象書類名】明細書
【補正対象項目名】００１３
【補正方法】変更
【補正の内容】
【００１３】
上記構成によれば、物品を梱包容器に保持した状態で重ねて搬送する際や、物品を梱包容器ごと前後に陳列した際に頂部と凹部とが嵌合して、物品を保持した梱包容器が崩れてしまうのが抑えされる。
【手続補正１１】
【補正対象書類名】明細書
【補正対象項目名】００１４
【補正方法】変更
【補正の内容】
【００１４】
本発明は、梱包容器本体と物品を覆うカバーとを有し、梱包容器本体とカバーで物品を梱包容器本体に保持するようにした梱包容器であって、前記梱包容器本体の前面が、その幅方向途中部を頂部として頂部を中心とした両側面のうち少なくとも頂部の一側面が後方へ向かって傾斜して形成されており、頂部の他側面が物品を保持する保持面とされ、頂部の一側面または該一側面を覆うカバー部分が物品に関する情報を表示可能な表示面とされ、前記梱包容器本体の後面部に物品に付設している付設物を収納する収納部が設けられ、前記梱包容器本体は、一側面または他側面の端辺部を中心として前面部と後面部とを開閉可能に構成されて前記付設物を梱包容器本体を開いた状態で収納および取出し可能に構成されていることを特徴としている。
【手続補正１２】
【補正対象書類名】明細書
【補正対象項目名】００１５
【補正方法】変更
【補正の内容】
【００１５】
上記構成によれば、梱包容器本体を、一側面または他側面の端辺部を中心として前面部側と後面部側を開いて、後面部に設けた収納部に付設物を収納したり、収納部から付設物を取出したりすることが可能となる。
【手続補正１３】
【補正対象書類名】明細書
【補正対象項目名】００１６
【補正方法】変更
【補正の内容】
【００１６】
本発明の梱包容器では、梱包容器本体は一枚のシートから形成され、カバーは、梱包容器本体をその開閉中心となる折曲げ部を中心として閉じた状態で梱包容器本体全体を囲む構成を有し、且つ梱包容器本体を開閉自在とするものであることを特徴としている。
【手続補正１４】
【補正対象書類名】明細書
【補正対象項目名】００１８
【補正方法】変更
【補正の内容】
【００１８】
本発明の梱包容器は、頂部を中心とした他側面が後方へ向かって傾斜され、該他側面は物品を保持する面とされて保持しようとする物品の前後方向幅に対して頂部の前後方向幅が小さく設定され、カバーは透明とされていることを特徴としている。
【手続補正１５】
【補正対象書類名】明細書
【補正対象項目名】００１９
【補正方法】変更
【補正の内容】
【００１９】
上記構成のように、他側面を後方へ向けて傾斜させることにより、物品が他側面上にあるよう物品を梱包して前後に並べて陳列しても後方へ傾斜している分だけ前後方向に嵩張らなくなる。
しかも、頂部と物品の位置関係を設定することで、梱包容器を一側面の横方向から見ても観者に物品が見えるようになる。
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
梱包容器本体と物品を覆うカバーとを有し、梱包容器本体とカバーで物品を梱包容器本体に保持するようにした梱包容器であって、前記梱包容器本体の前面が、その幅方向途中部を頂部として頂部を中心とした両側面のうち少なくとも頂部の一側面が後方へ向かって傾斜して形成されており、頂部の他側面が物品を保持する保持面とされ、頂部の一側面または該一側面を覆うカバー部分が物品に関する情報を表示可能な表示面とされ、
前記梱包容器本体の後面部に物品に付設している付設物を収納する収納部が設けられ、
前記梱包容器本体は、一側面または他側面の端辺部を中心として前面部と後面部とを開閉可能に構成されて前記付設物を梱包容器本体を開いた状態で収納および取出し可能に構成されていることを特徴とする梱包容器。
【請求項２】
梱包容器本体は箱状に形成されており、該梱包容器本体の後面部の物品に対応する領域に、前方に向けて窪む凹部が設けられていることを特徴とする請求項１記載の梱包容器。
【請求項３】
収納部が上下に離間して対で設けられ、収納部間に凹部が配置されていることを特徴とする請求項２記載の梱包容器。
【請求項４】
梱包容器本体は一枚のシートから形成され、カバーは、梱包容器本体をその開閉中心となる折曲げ部を中心として閉じた状態で梱包容器本体全体を囲む構成を有し、且つ梱包容器本体を開閉自在とするものであることを特徴とする請求項１ないし請求項３の何れかに記載の梱包容器。
【請求項５】
梱包容器本体の後面部に、後方に陳列される梱包容器の頂部が嵌合する凹部が形成されていることを特徴とする請求項１ないし請求項４の何れかに記載の梱包容器。
【請求項６】
頂部を中心とした他側面が後方へ向かって傾斜され、該他側面は物品を保持する面とされて保持しようとする物品の前後方向幅に対して頂部の前後方向幅が小さく設定され、カバーは透明とされていることを特徴とする請求項１ないし請求項５の何れかに記載の梱包容器。
【請求項７】
一枚のシートからなる梱包容器本体と、物品を覆う透明なカバーとで該物品を梱包容器本体に保持する梱包容器であって、梱包容器本体が前面部と後面部とを有し、後面部に物品に付設している付設物を収納する収納部が設けられ、且つ後面部における後面は平面であって物品の対応する領域に後面から前方に向けて窪む凹部が設けられ、後面部の一側端辺部に前面部の一側端辺部が着脱自在に重ねられ、前面部の前面における一側面が幅方向中心へ向かって前方に傾斜して物品の情報を表示する表示用傾斜面とされ、傾斜面の幅方向中心側の頂部を頂点として前面部の前面における他側面が物品を保持する保持面とされ、且つ他側ほど後方へ向かって傾斜する保持用傾斜面とされており、後面部および前面部の他側面の端辺部を中心として前面部と後面部とが開閉することで後面部の一側端辺部に前面部の一側端辺部が着脱自在に構成されていることを特徴とする梱包容器。
【手続補正２】
【補正対象書類名】明細書
【補正対象項目名】０００５
【補正方法】変更
【補正の内容】
【０００５】
本発明は、梱包容器本体と物品を覆うカバーとを有し、梱包容器本体とカバーで物品を梱包容器本体に保持するようにした梱包容器であって、前記梱包容器本体の前面が、その幅方向途中部を頂部として頂部を中心とした両側面のうち少なくとも頂部の一側面が後方へ向かって傾斜して形成されており、頂部の他側面が物品を保持する保持面とされ、頂部の一側面または該一側面を覆うカバー部分が物品に関する情報を表示可能な表示面とされ、前記梱包容器本体の後面部に物品に付設している付設物を収納する収納部が設けられ、前記梱包容器本体は、一側面または他側面の端辺部を中心として前面部と後面部とを開閉可能に構成されて前記付設物を梱包容器本体を開いた状態で収納および取出し可能に構成されていることを特徴としている。
【手続補正３】
【補正対象書類名】明細書
【補正対象項目名】０００６
【補正方法】変更
【補正の内容】
【０００６】
上記構成によれば、梱包容器本体を、一側面または他側面の端辺部を中心として前面部側と後面部側を開いて、後面部に設けた収納部に付設物を収納したり、収納部から付設物を取出したりすることが可能となる。
【手続補正４】
【補正対象書類名】明細書
【補正対象項目名】０００７
【補正方法】変更
【補正の内容】
【０００７】
本発明の梱包容器では、梱包容器本体は箱状に形成されており、該梱包容器本体の後面部の物品に対応する領域に、前方に向けて窪む凹部が設けられていることを特徴としている。
【手続補正５】
【補正対象書類名】明細書
【補正対象項目名】０００８
【補正方法】変更
【補正の内容】
【０００８】
上記構成のように梱包容器本体の後面部の物品に対応する領域に凹部を設けることで、物品を前後に陳列する場合に凹部に後方に陳列される物品が入り込むようになるから、その分だけ前後方向に嵩張らなくなる。
この場合、情報としては、物品の販売元、製造元、機能等、あるいは装飾文字や図柄等の商標も含むものとする。
【手続補正６】
【補正対象書類名】明細書
【補正対象項目名】０００９
【補正方法】削除
【補正の内容】
【手続補正７】
【補正対象書類名】明細書
【補正対象項目名】００１２
【補正方法】変更
【補正の内容】
【００１２】
本発明の梱包容器では、梱包容器本体は一枚のシートから形成され、カバーは、梱包容器本体をその開閉中心となる折曲げ部を中心として閉じた状態で梱包容器本体全体を囲む構成を有し、且つ梱包容器本体を開閉自在とするものであることを特徴としている。
【手続補正８】
【補正対象書類名】明細書
【補正対象項目名】００１３
【補正方法】変更
【補正の内容】
【００１３】
上記構成によれば、一枚のシートを折曲げて、梱包容器本体を貼合せなど行うことなく容易に形成することが可能になる。
【手続補正９】
【補正対象書類名】明細書
【補正対象項目名】００１４
【補正方法】変更
【補正の内容】
【００１４】
本発明の梱包容器では、梱包容器本体の後面部に、後方に陳列される梱包容器の頂部が嵌合する凹部が形成されていることを特徴としている。
【手続補正１０】
【補正対象書類名】明細書
【補正対象項目名】００１５
【補正方法】変更
【補正の内容】
【００１５】
上記構成によれば、物品を梱包容器に保持した状態で重ねて搬送する際や、物品を梱包容器ごと前後に陳列した際に頂部と凹部とが嵌合して、物品を保持した梱包容器が崩れてしまうのが抑えされる。
【手続補正１１】
【補正対象書類名】明細書
【補正対象項目名】００１６
【補正方法】変更
【補正の内容】
【００１６】
本発明の梱包容器では、頂部を中心とした他側面が後方へ向かって傾斜され、該他側面は物品を保持する面とされて保持しようとする物品の前後方向幅に対して頂部の前後方向幅が小さく設定され、カバーは透明とされていることを特徴としている。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
上記構成のように、他側面を後方へ向けて傾斜させることにより、物品が他側面上にあるよう物品を梱包して前後に並べて陳列しても後方へ傾斜している分だけ前後方向に嵩張らなくなる。
しかも、頂部と物品の位置関係を設定することで、梱包容器を一側面の横方向から見ても観者に物品が見えるようになる。
【手続補正１４】
【補正対象書類名】明細書
【補正対象項目名】００１９
【補正方法】変更
【補正の内容】
【００１９】
本発明は、一枚のシートからなる梱包容器本体と、物品を覆う透明なカバーとで該物品を梱包容器本体に保持する梱包容器であって、梱包容器本体が前面部と後面部とを有し、後面部に物品に付設している付設物を収納する収納部が設けられ、且つ後面部における後面は平面であって物品の対応する領域に後面から前方に向けて窪む凹部が設けられ、後面部の一側端辺部に前面部の一側端辺部が着脱自在に重ねられ、前面部の前面における一側面が幅方向中心へ向かって前方に傾斜して物品の情報を表示する表示用傾斜面とされ、傾斜面の幅方向中心側の頂部を頂点として前面部の前面における他側面が物品を保持する保持面とされ、且つ他側ほど後方へ向かって傾斜する保持用傾斜面とされており、後面部および前面部の他側面の端辺部を中心として前面部と後面部とが開閉することで後面部の一側端辺部に前面部の一側端辺部が着脱自在に構成されていることを特徴としている。
【手続補正１５】
【補正対象書類名】明細書
【補正対象項目名】００２０
【補正方法】削除
【補正の内容】